(57)【要約】  両面に接着剤層(4)を備えた支持体(2)から成る写真アルバムを作るための枚葉であって、  前記接着剤層(4)が少なくとも粘着性接着剤とホットメルトとの一つの混合物から成ること、を特徴とする枚葉。【選択図】図1
2010509089.tif 000002
【特許請求の範囲】
【請求項１】
両面に接着剤層(4)を備えた支持体(2)から成る写真アルバムを作るための枚葉であって、
前記接着剤層(4)が少なくとも粘着性接着剤とホットメルトとの一つの混合物から成ること、
を特徴とする枚葉。
【請求項２】
当該接着剤層(4)が、約25%の粘着性接着剤と約75%のホットメルトとを含むことを特徴とする請求項1に記載の枚葉。
【請求項３】
当該ホットメルトがエチレン酢酸ビニル(EVA)から成ることを特徴とする請求項1または2に記載の枚葉。
【請求項４】
当該接着剤層(4)が軟化温度85〜95℃を有することを特徴とする請求項1から3の中のいずれか一つに記載の枚葉。
【請求項５】
当該接着剤層(4)が、160℃において、粘性率3〜3.6 Pa・s(3000〜3600センチポアズ)を有することを特徴とする請求項1から4の中のいずれか一つに記載の枚葉。
【請求項６】
当該接着剤層(4)が、支持体(2)の大体全面にわたって広がっていることを特徴とする請求項1から5の中のいずれか一つに記載の枚葉。
【請求項７】
枚葉(1)の幅全体にわたって延びている中央折れ目(3)を備えていることを特徴とする請求項1から6の中のいずれか一つに記載の枚葉。
【請求項８】
当該折れ目(3)が枚葉(1)の接着剤のない部分に備えられていることを特徴とする請求項7に記載の枚葉。
【請求項９】
当該支持体(2)の各寸法が、接着される写真の各寸法の大体二倍であることを特徴とする請求項1から8の中のいずれか一つに記載の枚葉。
【請求項１０】
当該支持体(2)の各寸法が、接着される写真の各寸法の大体半分であることを特徴とする請求項1から6の中のいずれか一つに記載の枚葉。
【請求項１１】
請求項1から10の中のいずれか一つに記載の枚葉を少なくとも一つ備えていることを特徴とする写真アルバム。
【発明の詳細な説明】
【技術分野】
【０００１】
本発明は、両面に接着剤層を備えた支持体から成る、写真アルバムを作るための枚葉に関する。
【背景技術】
【０００２】
IT BO2004A000592号明細書によってすでに公知の枚葉においては、前記接着剤層がいわゆるホットメルト接着剤から成る。
【０００３】
ここで、ホットメルトは、熱の作用下で融解する、熱活性化接着剤を意味する。
【０００４】
すでに公知のように、写真アルバムとするために、前記枚葉と写真が交互に積み重ねられ、そのあと、枚葉と写真を積み重ねたものがたとえばオーブン内で加熱されて、接着剤が溶かされ、それから接着剤は再冷却され、硬化させられて、写真および枚葉が接着して写真アルバムとなるようにされる。
【０００５】
この公知の枚葉の欠点は、枚葉と写真とが交互に積み重ねられるときに、写真が枚葉に対してずれ、そのため、それらの写真が中心に配置されなかったり、完全に正しく枚葉に接着されなかったりすることがある、ということである。
【発明の開示】
【発明が解決しようとする課題】
【０００６】
本発明の目的は、前記およびその他の欠点を克服することである。
【課題を解決するための手段】
【０００７】
そのために、本発明は、両面に接着剤層を備えた支持体から成る、写真アルバムを作るための枚葉に関する。ここで、前記接着剤層は少なくとも粘着性接着剤とホットメルトとの一つの混合物から成る。
【０００８】
本発明の前記枚葉の主要利点は、前記接着剤層が粘着性接着剤とホットメルトとの混合物から成るので、これらの接着剤層が粘着性を有し、そのため、ホットメルトが融解しないうちでも、写真がすでにそれぞれの枚葉に接着し、これらの枚葉に対する位置が正しく保たれる、ということである。
【０００９】
本発明は、また、一枚以上の前記枚葉から成る写真アルバムにも関する。
【発明を実施するための最良の形態】
【００１０】
以下、本発明の特徴をより詳しく説明するために、写真アルバムを作るための本発明の枚葉の好ましい実施形態について、限定を意図しない一つの例として、添付の図面を参照しつつ、説明する。
【００１１】
図には、支持体2を備えた、写真アルバムを作るための本発明の枚葉1を示す。この場合、支持体2は、一枚の紙またはボール紙の形のものである。
【００１２】
前記支持体2は、この場合、枚葉1の幅の全体にわたる中央折り目3を備えているが、これは必ず必要というわけではない。
【００１３】
前記枚葉1は、両面に接着剤層4を備えており、この場合、これらの層は、支持体2の実質的に全面にわたって広がっているが、ただし、この場合、前記折り目3の付近は狭い接着剤なしの部分となっている。
【００１４】
本発明においては、前記接着剤層4は、少なくとも粘着性接着剤とホットメルトとの一つの混合物から成る。
【００１５】
各接着剤層4は、好ましくは、大体25%の粘着性接着剤と大体75%のホットメルトとから成る。
【００１６】
好ましくは、前記ホットメルトはエチレン酢酸ビニル(EVA)から成る。
【００１７】
この場合、前記接着剤層4の軟化温度、すなわちこれらの接着剤層が融解する温度は、85〜95℃である。また、これらの接着剤層の粘性率は、160℃において、3〜3.6 Pa・s(3000〜3600センチポアズ)である。
【００１８】
この場合、前記支持体2の寸法は、接着される写真の寸法の大体二倍である。
【００１９】
写真アルバムを作るための本発明の枚葉1の使用法は、公知の枚葉のそれと同様であり、下記のようである。
【００２０】
第一のステップにおいて、枚葉1と写真が交互に積み重ねられる。このとき、枚葉1は、前記折り目3にしたがって二重に折り曲げられ、また、折り曲げられた枚葉1の内側に二枚の写真が配置され、これらの写真の像が向かい合うようにされる。
【００２１】
前記接着剤層4は、粘着性接着剤とホットメルトとの混合物から成るので、これらの接着剤層4は粘着性を有し、したがって、写真は各枚葉1に接着され、これらの枚葉1に対する位置が正しく保たれる。
【００２２】
そのあと、枚葉1と写真の積み重ねの全体が、加熱のためにオーブン内に配置され、前記接着剤層4が融解させられる。
【００２３】
最後に、全体が再冷却され、その結果、接着剤層4が再硬化し、写真を貼った枚葉1の綴じられた束が得られ、写真アルバムとなる。
【００２４】
図には示さない本発明の枚葉1の変形実施形態においては、前記支持体2の各寸法が、接着される写真の各寸法の大体半分であり、また枚葉1には折り目3が備えられない。
【００２５】
この場合、写真はその像が内側に来るように二重に折り曲げられ、そのあと、これらの二重に折り曲げられた写真と枚葉1とが交互に積み重ねられる。
【００２６】
次に、枚葉と写真の積み重ねを加熱してから冷却することにより、最終的に、写真アルバムを形成する綴じられた束が、前述の実施形態の場合と同様に得られる。
【００２７】
明らかに、本発明は、前述の実施形態のみに限定されるものではなく、また枚葉1と写真の寸法は変えることができる。
【００２８】
本発明の枚葉1は全面にわたって接着剤層4を備える必要はなく、逆に、接着剤層4は表面の一部のみにわたって広がるようにすることもできる。
【００２９】
本発明は、添付の図面に示し、例として説明した実施形態のみに限定されるものではない。逆に、写真アルバムを作るための本発明の枚葉は、本発明の範囲を逸脱することのない、あらゆる形状と寸法で具体化することができる。
【図面の簡単な説明】
【００３０】
【図１】本発明の枚葉の模式斜視図である。
【図２】図1の線II−IIに沿う断面図である。
【図３】図2の線III−IIIに沿う断面図である。
【符号の説明】
【００３１】
1  枚葉
2  支持体
3  中央折り目
4  接着剤層
【図１】
2010509089.tif 000003
【図２】
2010509089.tif 000004
【図３】
2010509089.tif 000005
【国際調査報告】
2010509089.tif 000006
2010509089.tif 000007